(57)【要約】【課題】ペットの汚物等を簡単に投入でき、臭いの発生を防止できる携帯汚物入れを提供する。【解決手段】底部と上部開口部を有し、筒状に形成された可撓性を有する本体と、該本体の上部開口部の内側面に貼着され、片面に所定間隔にて着磁された複数の多極着磁シートと、前記本体に収納され、上部に開口部と封止手段とを備えた耐水性を有する紙製袋体とから構成され、前記本体の上部開口部の内側面に貼着され、着磁されたシート同士の反発性と吸着性によって開口部の開閉を行なう。【選択図】        図１
2006211932.tif 000002
【特許請求の範囲】
【請求項１】
底部と上部開口部を有し、筒状に形成された可撓性を有する本体と、該本体の上部開口部の内側面に貼着され、片面に所定間隔にて着磁された複数の多極着磁シートと、前記本体に収納され、上部に開口部と封止手段とを備えた耐水性を有する紙製袋体とから構成される携帯汚物入れであって、前記多極着磁シートの端部に設けられ、対向する前記多極着磁シートを相対的に移動させる移動手段により前記本体の前記上部開口部の開閉を行なうことを特徴とする携帯汚物入れ。
【発明の詳細な説明】
【技術分野】
【０００１】
本発明は、携帯汚物入れに関し、とくにペットの排泄物などに使用できる携帯汚物入れに関するものである。
【背景技術】
【０００２】
今日、数多くのペットが家庭において飼育されており、そのペット専用の様々な製品が商品化されて流通している。とくにペット用のフードは量販店においてコーナーを占めるほどその種類と量は豊富である。しかるにペットの排泄物の処理に関しては、例えば猫用の砂場（排泄用）やペット用携帯型糞回収セット等が一部商品として見られるが、一般家庭において、例えば犬の散歩に使用できる携帯汚物入れの商品はほとんど見られず、ポリ袋や紙袋を汚物入れとして持ち歩いてのがほとんどである。
【０００３】
このため、周囲から汚物を携帯していることが分かり不体裁であり、しかも汚物の臭いが漏れるという問題があった。そこで、軽量な防水性板状材料から偏平状に折畳み可能な有底角筒状に形成された外箱および、柔軟な防水性材料から上記外箱に収容可能な袋状に形成された内袋を具備する汚物採取用具が提案されている（特許文献１参照。）。また、合成樹脂にて形成され可撓性ではあるがやや硬質の腰のある矩形の袋の少なくとも一辺がファスナーによって開閉可能であり、該開閉可能な辺以外に開口辺が設けられ、該開口辺には弾性復帰力の強い帯状樹脂シートが貼着された動物の糞取り器も提案されている（特許文献２参照。）。
【特許文献１】特開平２−２３８８３３号公報
【特許文献２】特開２０００−１３９２５９号公報
【発明の開示】
【発明が解決しようとする課題】
【０００４】
しかしながら、上記特許文献１に提案されている汚物採取用具の場合、外箱および内箱を逆さにして汚物を取り込み、外箱の開口縁部を封する構成となっており、汚物を繰り返して収容することが困難であり、また汚物を収容する度に両手で外箱の開口部の開け閉めを行なう必要があるという問題点がある。
【０００５】
また、上記特許文献２に提案されている動物の糞取り器の場合、糞を回収後に必ず水洗いを行なう必要があり、また開口辺の近傍が糞で汚れ、臭いが漏れるおそれがあるという問題点がある。
【０００６】
本発明は、上記の問題点に鑑みなされたもので、ペットなどの汚物を投入する際に、本体の開口部の開閉が容易であり、汚物を投入した後に汚物の臭いが漏れることが無く、また汚物を水で洗う必要もなく繰り返し使用ができ、しかも携帯しても体裁が良い携帯汚物入れを提供するものである。
【課題を解決するための手段】
【０００７】
このため本発明の携帯汚物入れは、底部と上部開口部を有し、筒状に形成された可撓性を有する本体と、該本体の上部開口部の内側面に貼着され、片面に所定間隔にて着磁された複数の多極着磁シートと、前記本体に収納され、上部に開口部と封止手段とを備えた耐水性を有する紙製袋体とから構成される携帯汚物入れであって、前記多極着磁シートの端部に設けられ、対向する前記多極着磁シートを相対的に移動させる移動手段により前記本体の前記上部開口部の開閉を行なうことを特徴とする。
【発明の効果】
【０００８】
本発明に係る携帯汚物入れによれば、本体と該本体に収納される紙製袋体とで構成されているため、汚物を前記携帯汚物入れに投入して携帯しても体裁が良いという優れた効果を有する。
【０００９】
また、汚物を投入された紙製袋体は、封止手段によって封止され、しかも前記紙製袋体を収納する前記本体の上部開口部は、複数の多極着磁シートによってさらに封止されているため投入された汚物の臭いが漏れにくいという効果を有する。
【００１０】
そして、前記本体の開口部に貼着された複数の多極着磁シートは、片面に所定間隔にて着磁されており、しかも対向する前記多極着磁シートを相対的に移動させる移動手段を備えているため、前記開口部の開閉が極めて容易であるという優れた効果を有する。
【００１１】
さらに、前記紙製袋体は耐水性を有しており、前記本体の内部が汚物で汚れることがないため、前記本体の内部を水洗いする必要もなく繰り返し使用が可能であるという優れた効果を有する。
【発明を実施するための最良の形態】
【００１２】
以下、本発明を実施するための最良の形態を図面に示す実施例に基づいて説明するが、本発明が本実施例に限定されないことは言うまでもない。図１は本発明に係る携帯汚物入れの一実施例を示す斜視図、図２は本実施例の多極着磁シートによる開閉動作説明図、図３は図２の斜視説明図、図４は図１の正面図。図５は図４の部分拡大説明図である。
【実施例】
【００１３】
図１に示すように、本発明に係る携帯汚物入れ１は、ビニルなどの合成樹脂からなる本体２と、本体２に収納され上部開口部３１の内面に両面テープ７が貼着された合成紙などの耐水性の紙製袋体３と、本体２の上部開口部２２の内面に貼着された多極着磁シート（マグネットシート）４と、から構成され、略円形の底部２１を有する筒状の袋体となっている。
【００１４】
本体２の上部２箇所に対向して取り付けられた可動接続部材９に、後述する蝶番を介してハンドル５が連結され、ハンドル５の内側には内ハンドル６が保持部５１を挿通し可動接続部材９の端部と連結してる。可動接続部材９、ハンドル５、内ハンドル６は金属、プラスチック、木などの素材で適度の強度と耐久性をもち、しかも携帯する際に体裁が良いものが選択される。尚、図１は内ハンドル６をハンドル５の方向に引いた状態を示しており、上部開口部２２は開いた状態である。
【００１５】
本実施例の多極着磁シート（マグネットシート）４は厚み約０．８ｍｍのゴム製で、多極着磁シート４の裏面には後述するアクリル板が貼着され弾性回復力を増加させるとともに上部開口部２２の開閉に用いられる。
【００１６】
次に図２および図３により、本発明に係る多極着磁シート４による開閉動作を説明する。図２（ａ）は閉口状態を示す説明図、図２（ｂ）は開口状態を示す説明図である。
【００１７】
図２（ａ）に示すように、２枚の多極着磁シート４の表面にはＮ極４１およびＳ極４２が約４ｍｍピッチで着磁されており、多極着磁シート４の裏面には略Ｌ字型のアクリル板１０が各々接着剤にて貼着されている。アクリル板１０の短辺部の長さは多極着磁シート４の厚みの略２倍であり、多極着磁シート４を保持するとともに多極着磁シート４の長手方向の移動を規制する。そして略Ｌ字型のアクリル板１０が対向して矩形を示すように配置された多極着磁シート４のＬ字型アクリル板の角位置に当接する極と、対向するアクリル板の長手方向端部に当接する極とは同じ極となるように着磁されている。
【００１８】
次に、図２（ｂ）に示すように、アクリル板１０の長手方向（矢印Ａ）からアクリル板１０を各々加圧すると、多極着磁シート４は長手方向（矢印Ａ）に相対的に移動し、アクリル板１０の短辺部に当接して移動が規制される。そして対向する２枚の多極着磁シート４の対向する極は全て同じ極となるため、磁気による斥力が生じ、２枚の多極着磁シート４はアクリル板１０と垂直方向（矢印Ｂ）に各々離れる。
【００１９】
さらに図３に示すように、アクリル板１０とともに多極着磁シート４は、アクリル板１０の垂直方向Ｃに各々湾曲し、２枚の多極着磁シート４の中央部には開口部が形成される。また、前記アクリル板１０の長手方向（矢印Ａ）からの加圧を解除するとアクリル板と多極着磁シート４の弾性回復力によって多極着磁シート４同士が接近し、多極着磁シート４の各々異なる極同士が磁力によって吸引されて密着する。尚、アクリル板１０を加圧し多極着磁シート４を相対的に移動させる手段に関しては、以下の携帯汚物入れ１の使用方法において説明する。
【００２０】
次に図４および図５により、本発明の携帯汚物入れ１の使用方法について説明する。図５（ａ）は内ハンドル６を牽引した状態を示し、図５（ｂ）は内ハンドル６を緩めた状態を示す。まず携帯汚物入れ１のハンドル５と内ハンドル６を片手で握り、内ハンドル６をハンドル５方向に牽引する。内ハンドル６は保持部５１を挿通して可動接続部材９の端部と接続しており、またハンドル５は蝶番１１を介して可動接続部材９と接続しているため、内ハンドル６の牽引によって可動接続部材９の端部も蝶番１１を中心として円弧状に回転し牽引される。ここで前記保持部５１の可動接続部材９との接続面は、予め切り欠き面とされ内ハンドル６の移動分に相当する可動接続部材９の回転が可能とされる。
【００２１】
この可動接続部材９の回転に伴い、可動接続部材９と接続する連結部材１２に本体２の上部を中心方向に加圧する力が生じ、連結部材１２と連結する前記図４の略Ｌ字型アクリル板１０の短辺部も各々加圧され相対的に移動する。この加圧によって上述したように本体２の上部開口部２２も開口する。
【００２２】
上部開口部２２が開口した状態で合成紙からなる紙製袋体３の上部開口部３１を開いたまま、携帯用スコップ（図示せず）などによりペットの糞あるいは汚物を回収し紙製袋体３に投入する。次いで両面テープ７の離型紙（図示せず）を取り除き、紙製袋体３の上部開口部３１を両面テープ７によって封止し、内ハンドル６の握りを緩めると図５に示すように、可動接続部材９と保持部５１の蝶番１１近傍に取り付けられた巻きばね８の反発力により可動接続部材９が蝶番１１を中心として前記回転方向と逆方向に回転する。そして、可動接続部材９と連結する連結部材１２も本体２の外周方向に移動し、同時にアクリル板１０の長手方向への加圧も解除され、２枚の多極着磁シート４は各々磁力によって密着する。
【００２３】
以上、本発明による携帯汚物入れによれば、本体と該本体に収納された耐水性の紙製袋体の二重構造となっており、投入された汚物は前記紙製袋体内にて封止されると共に前記本体の上部開口部の内面に貼着された複数の多極着磁シートによってさらに封止されるため臭いが漏れにくく、また汚物によって前記本体の内部が汚れることがないため水洗いを必要とせず繰り返し使用することが可能であり、しかも汚物を携帯していることが外部から分らないため体裁も良い。また前記複数の多極着磁シートは片面に所定間隔にて着磁され、しかも複数の多極着磁シートを相対的に移動させる移動手段を有しているため前記本体の上部開口部の開閉が容易であり汚物の回収も容易となる。
【図面の簡単な説明】
【００２４】
【図１】本発明に係る携帯汚物入れの一実施例を示す斜視図である。
【図２】本発明に係る多極着磁シートによる開閉動作説明図である。
【図３】図２の斜視図である。
【図４】図１の正面図である。
【図５】図４の部分拡大説明図である。
【符号の説明】
【００２５】
１                  携帯汚物入れ
２                  本体
３                  紙製袋体
４                  多極着磁シート
５                  ハンドル
６                  内ハンドル
７                  両面テープ
８                  巻きばね
９                  可動接続部材
１０                  アクリル板
１１                  蝶番
１２                  連結部材
２１                  底部
２２、３１            上部開口部
４１                  Ｓ極
４２                  Ｎ極
５１                  保持部
【図１】
2006211932.tif 000003
【図２】
2006211932.tif 000004
【図３】
2006211932.tif 000005
【図４】
2006211932.tif 000006
【図５】
2006211932.tif 000007